(57)【特許請求の範囲】
【請求項１】
無線業務日誌に記載する必要のある情報のうち、自局の信号強度、交信周波数、電波形式、終段入力および自局のコールサインを含む自局情報をデータ通信により送信する送信手段と、
上記無線業務日誌に記載する必要のある情報のうち、相手局の信号強度、相手局のコールサインおよび相手局の交信者の名前を含む相手局情報をデータ通信により受信する受信手段と、
上記自局情報および上記相手局情報を含み、無線業務日誌に記載する必要のある情報を記憶する記憶手段と、
ＰＴＴキーが押されたのかそれとも離されたのかを判定するＰＴＴキー判定手段と、
上記自局情報が未発信状態になっているか否かを判定する自局情報判定手段と、
を備え、
上記ＰＴＴキー判定手段がＰＴＴキーが離されたと判定し、さらに、上記自局情報判定手段が自局情報が未発信状態と判定した場合、上記送信手段は、該未発信の自局情報をデータ通信により送信する構成としたことを特徴とする無線機。
【請求項２】
請求項１記載の無線機において、前記自局情報および前記相手局情報を表示する表示手段をさらに含むことを特徴とする無線機。
【請求項３】
請求項１記載の無線機において、時計およびカレンダ機能と、
相手局との交信を開始し、かつ前記自局情報および前記相手局情報の記録開始操作した時を交信開始時刻として前記記憶手段へ記憶するとともに、相手局との交信を終了し、かつ前記自局情報および前記相手局情報の記録終了操作した時を交信終了時刻として前記記憶手段へ記憶する機能をさらに有し、
前記無線業務日誌に記載する必要のある情報は、交信月日、交信開始時刻および交信終了時刻をさらに含むことを特徴とする無線機。
【請求項４】
請求項１から３のいずれか１項に記載の無線機において、前記記憶手段に記憶されている情報を外部コンピュータと通信する通信手段をさらに含むことを特徴とする無線機。
【発明の詳細な説明】
【０００１】
【発明の属する技術分野】
本発明は、無線機に関する。
【０００２】
【従来の技術】
アマチュア無線では、交信を行なった際は無線業務日誌（ログブック）を記録することが電波法上義務付けられている。通常、無線業務日誌に記載が必要な項目には、交信相手に伝えなければいけない自局情報と、交信相手から伝えてもらわなければならない相手局情報がある。通常、上記のような情報は、交信を始める際にお互いに音声にて伝え合い、これを無線業務日誌に記録する。
【０００３】
【発明が解決しようとする課題】
しかし、車に搭載された移動局運用の場合、車を運転しながら無線業務日誌を書くのは非常に困難であり、かつ危険である。仮に、車を停止して無線業務日誌を書くとしても、随分と手間がかかる。交信中は一時的に記憶させ、交信終了後に業務日誌を書く場合も、交信回数が多くなったりすると、記録する際に時間がかかり厄介である。
【０００４】
従来の無線機では、自局の交信日時をメモリに記憶できるものがあるが、どのような状況で誰と交信したかという内容等についての記憶を行なうことができるものはなかった。
【０００５】
また、交信中の受信信号の強度および明瞭度や交信相手局の情報を記憶することができず、無線業務日誌に必要な情報としては足りないものであった。つまり、無線業務日誌を記録するためには、やはり無線機のメモリに記憶させる以外に、自分でメモを取るなどの作業が必要であった。
【０００６】
そこで、本発明は、上述した従来の問題点に鑑み、無線業務日誌の記録作業の軽減を図ることができる無線機を提供することを目的としている。
【０００７】
【課題を解決するための手段】
請求項１記載の発明の無線機は、  無線業務日誌に記載する必要のある情報のうち、自局の信号強度、交信周波数、電波形式、終段入力および自局のコールサインを含む自局情報をデータ通信により送信する送信手段と、上記無線業務日誌に記載する必要のある情報のうち、相手局の信号強度、相手局のコールサインおよび相手局の交信者の名前を含む相手局情報をデータ通信により受信する受信手段と、上記自局情報および上記相手局情報を含み、無線業務日誌に記載する必要のある情報を記憶する記憶手段と、ＰＴＴキーが押されたのかそれとも離されたのかを判定するＰＴＴキー判定手段と、上記自局情報が未発信状態になっているか否かを判定する自局情報判定手段と、を備え、上記ＰＴＴキー判定手段がＰＴＴキーが離されたと判定し、さらに、上記自局情報判定手段が自局情報が未発信状態と判定した場合、上記送信手段は、該未発信の自局情報をデータ通信により送信する構成としたことを特徴とする。
【０００８】
請求項２記載の発明の無線機は、請求項１記載の無線機において、前記自局情報および前記相手局情報を表示する表示手段をさらに含むことを特徴とする。
【００１０】
請求項３記載の発明の無線機は、請求項１記載の無線機において、時計およびカレンダ機能と、相手局との交信を開始し、かつ前記自局情報および前記相手局情報の記録開始操作した時を交信開始時刻として前記記憶手段へ記憶するとともに、相手局との交信を終了し、かつ前記自局情報および前記相手局情報の記録終了操作した時を交信終了時刻として前記記憶手段へ記憶する機能をさらに有し、前記無線業務日誌に記載する必要のある情報は、交信月日、交信開始時刻および交信終了時刻をさらに含むことを特徴とする。
【００１１】
請求項４記載の発明の無線機は、請求項１から３のいずれか１項に記載の無線機において、前記記憶手段に記憶されている情報を外部コンピュータと通信する通信手段をさらに含むことを特徴とする。
【００１２】
【発明の実施の形態】
本発明は、要約すれば、従来の音声での情報交換に加えて、データ通信でも情報交換を行い合い、お互いの情報を相手局の無線機に表示させることで、音声での情報交換の内容を確認できると共にこの情報を無線機自体に記憶させ、またこの記憶された情報をパソコンにも接続することで自動的に無線業務日誌を記録することが可能になるように構成された無線機である。
【００１３】
以下、本発明の実施の形態を図面に基づいて説明する。図１は、本発明による無線機の実施の形態を示すブロック図である。
【００１４】
図１において、無線機は、アンテナ１、送信回路２、受信回路３、データ通信用モデム４、マイクロコンピュータ（以下、マイコンという）５、キー入力６、表示器７、時計回路８、不揮発性メモリ９およびレベル変換回路１０を含む。
【００１５】
マイコン５は、予め定めたプログラムに従って各種の処理や制御などを行うＣＰＵ（中央演算処理装置）５ａ、ＣＰＵ５ａのためのプログラム等を格納した読み出し専用のメモリであるＲＯＭ５ｂ、各種のデータを格納するとともにＣＰＵ５ａの処理作業に必要なエリアを有する読み出し書き込み自在のメモリであるＲＡＭ５ｃ、Ａ／Ｄコンバータ５ｄおよびＵＡＲＴ（ユニバーサル非同期レシーバ／トランスミッタ）インタフェース５ｅを含む。
【００１６】
キー入力部６は、ＰＴＴ（プレストーク）キー６ａ、ログ開始キー６ｂ、ログ終了キー６ｃ、設定キー６ｄ、明瞭度設定キー６ｅおよびログ送信キー６ｆを含む。
【００１７】
上述の構成において、無線機は、キー入力部６の各キー操作に基づくマイコン５のＣＰＵ５ａの制御の下に、無線業務日誌の記録に関連する各種動作、すなわち、自局情報の設定、日付・時間の設定、交信開始時刻の決定、自局情報の転送、相手局情報の受信、相手局信号強度の決定、交信終了時の動作、ログデータの確認表示、パソコンへのデータ転送等を行なう。
【００１８】
以下、無線機の動作の概要を述べる。無線機には、時計回路８によるカレンダーと時計の機能がある。交信を始める前に予め自局の情報（たとえば、コールサイン：呼出符号、送信出力、自分の名前、住所、移動先など）相手に伝えたい情報をメモリしておく。
【００１９】
送信出力に関しては、マックス（ハイパワー）時は、何ワット無線機なのかを予め入力しておき（もしくはデフォルトで定義しておく）、その時の運用状態（Ｈｉ、Ｍｉｄ、Ｌｏｗ、ＥＬなど）を読み取り、その時の送信出力を計算し自動でデータに載せる。
【００２０】
交信の相手局が見つかり交信を始めることを決めた時に、自局の情報を相手局にデータ通信で送信する。このデータ送信のタイミングは、送信者がログ開始キー６ｂを押して手動で行なっても良いし、予め設定された条件でデータが自動的に送信されても良い。このデータを送信する際に自局の無線機側では、交信開始時刻をメモリに記憶する。さらに、相手局の受信信号強度を感知し、予めメモリに記憶してある情報と共にデータ送信する。
【００２１】
交信相手は、このデータを受けると、自局での受信信号強度と予めメモリに記憶された情報を併せてデータを返信する。このデータのやりとりにより、自局と相手局は、お互いに必要な情報を併せて得ることができ、この情報を表示器７の画面に表示させ（表示させなくても可）、またメモリに記憶することができる。
【００２２】
交信を終了した際は、終了を知らせるためにログ終了キー６ｃを押すかまたは予め設定された条件にて自動的に交信終了時刻をメモリする。ここまでの情報を全てまとめたものがメモリに記憶されて１回の交信の記録となる。この交信記録は、後でメモリから読み出し表示器７に表示させて見ることができ、これを見ることで無線業務日誌を円滑に記録することが可能になる。
【００２３】
次に、無線機の動作の詳細、すなわち、自局情報の設定、日付・時間の設定、交信開始時刻の決定、自局情報の転送、相手局情報の受信、相手局信号強度の決定、交信終了時の動作、ログデータの確認表示、パソコンへのデータ転送について説明する。
【００２４】
（自局情報の設定）
交信を始める前に、予め自局情報データを不揮発性メモリ９に記憶させておく。自局情報とは、「コールサイン」、「送信出力」、「ＱＲＡ（名字）」、「ＱＴＨ（何県何市）」、「リグ（無線機の型名）」、「アンテナの種類」、「アンテナの地上高」等を含む。
【００２５】
（日付・時間の設定）
交信を始める前に、時計回路８の日付と時間を調整しておく。
【００２６】
（交信開始時刻の設定）
ある特定の相手局との交信を開始した時点で、ログ開始キー６ｂを操作することにより、新規ログデータベースをＲＡＭ５ｃ内で作成する。ＲＡＭ５ｃ内に作成される新規ログデータベースは、自局情報、相手局情報、交信日時等のデータを格納するエリアを有する。次いで、時計回路８から現在時刻を取得し、「交信開始時刻」データを新規ログデータベースの交信日時エリアに記録し、また、表示器７にこの「交信開始時刻」を表示する。
【００２７】
（自局情報の転送）
ログ開始キー６ｂ操作後の最初の送信動作終了時に、「自局情報の設定」で予め登録した自局情報を不揮発性メモリ９から読み出し、パケットデータ等としてデータ通信用モデム４、送信回路３およびアンテナ１を介して自動送信する。また、自動送信ではなく、ログ送信キー６ｆの操作により手動送信することも可能である。
【００２８】
（相手局情報の受信）交信中、「相手局情報」が受信回路３で受信される。相手局情報が転送されてきたならば、ＲＡＭ５ｃの新規ログデータベースの相手局情報エリアにコピーする。また、相手局情報を表示器７に表示する。
【００２９】
（相手局信号受信時の信号強度の決定）相手局信号の信号受信時に、受信信号の強度を示す電圧を受信回路３からＡ／Ｄコンバータ５ｄに与え、その電圧レベルに応じてＡ／Ｄコンバータ５ｄにてアマチュア無線で一般的に用いられている「１」〜「９」、「ＯＶＥＲ」という値のいずれかに変換する。そして、変換されたその信号強度の値を新規ログデータベースにおける「相手局信号強度」データの１の位に設定する。また、交信中、相手局の音声の明瞭度を「１」〜「５」の値の範囲で（自分の聴感上で）判断し、明瞭度設定キー６ｅを操作する。この操作により、「相手局信号強度」データの１０の位が、指定された「１」〜「５」のいずれかに設定される。この交信中に、この明瞭度設定キー６ｅが操作されなかった場合は、自動的に「５」の値が選択されたこととする。
【００３０】
（交信終了時の動作）
交信が終了したら、ログ終了キー６ｃを操作する。このログ終了キー６ｃが操作された時の時刻を「交信終了時刻」としてＲＡＭ５ｃの新規ログデータベースの交信日時エリアに記録し、また表示器７にも表示させる。また、ＲＡＭ５ｃ内の新規ログデータベースの内容全部を不揮発性メモリ９にコピーし、パケットデータ等として送信する。この最終データは、相手局信号強度情報が含まれた完成形のものである。
【００３１】
（ログデータの確認表示）
不揮発性メモリ９に蓄積されたログデータを、表示器７の表示画面に順次呼び出す場合は、キー入力部６の任意のキー操作により選択されたログの内容を表示器７に表示させる。
【００３２】
（パソコンへのデータ転送）
上述のようにして作成されたログデータは、不揮発性メモリ９に随時蓄積される。このログデータをパソコンに転送する場合は、ＵＡＲＴインターフェース５ｅおよびレベル変換回路１０を介して、パソコンからのコマンドに応答しログデータを転送する。
【００３３】
次に、相手局の受信信号強度を決定するためにＣＰＵ５ａが行なう信号受信処理について、図２のフローチャートを用いて説明する。
【００３４】
まず、送信中か受信中かを判定し（ステップＳ１）、受信中であればステップＳ２に進み、信号入感中か否かを判定する。ステップＳ２の答がイエスならば、次いでログが開始されているか否かを判定し（ステップＳ３）、開始されていればステップＳ４に進み、受信した相手局の信号強度をサンプリングし、Ａ／Ｄコンバータ５ｄにて読み込む。
【００３５】
次に、Ａ／Ｄコンバータ５ｄで読み込んだサンプルデータの平均化処理を行ない（ステップＳ５）、次いで平均化処理で算出された平均値を相手局の信号強度として、新規ログデータベースにおける「相手局信号強度」データの１の位に設定する。
【００３６】
次に、上述の各種動作を指示するキー入力部６の各キー操作に基づきＣＰＵ５ａが行なうキー処理について、図３および図４のフローチャートを用いて説明する。
【００３７】
まず、キー入力部６におけるキー操作の読み取りを行ない（ステップＳ１１）、次いで、ログ開始キー６ｂが操作されたか否かを判定し（ステップＳ１２）、操作されていればステップＳ１３に進み、新規ログデータベースを作成する。次いで、現在時刻を交信開始時刻として記録する（ステップＳ１４）。次いで、ログ状態をログ未送信状態とし（ステップＳ１５）、次いでログ画面を表示器７に表示させ（ステップＳ１６）、次いでリターンする。
【００３８】
一方、ログ開始キー６ｂが押されていなければ（ステップＳ１２の答がノー）、次いでステップＳ１７に進み、ＰＴＴキー６ａが操作されたか否かを判定する（ステップＳ１７）。操作されていれば、次いでステップＳ１８に進み、ＰＴＴキー６ａが押されたのかそれとも離されたのかを判定する。
【００３９】
ＰＴＴキー６ａが押されたと判定した場合は、次いで通常の送信を開始し（ステップＳ１９）、次いでリターンする。一方、ＰＴＴキー６ａが離されたと判定した場合は、ステップＳ２０に進み、ログ状態がログ未送信状態になっているか否かを判定する。ログ状態がログ未送信状態になっていれば、次いでステップＳ２１に進み、ログデータをパケット送信し（ステップＳ２１）、次いでログ状態をログ送信済み状態にし（ステップＳ２２）、次いでステップＳ２３に進む。一方、ステップＳ２０でログ状態がログ未送信状態になっていなければ、直接ステップＳ２３に進む。ステップＳ２３では、送信を終了し、次いでリターンする。
【００４０】
一方、ＰＴＴキー６ａが押されていなければ（ステップＳ１７の答えがノー）、次いでステップＳ２４に進み、明瞭度設定キー６ｅが操作されたか否かを判定する。操作されていれば、次いでステップＳ２５に進み、明瞭度設定キー６ｅの操作による相手局の音声の明瞭度を設定する。次いで、設定された明瞭度を表示器７に表示させ（ステップＳ２６）、次いでリターンする。
【００４１】
明瞭度設定キー６ｅが操作されていなければ（ステップＳ２４の答がノー）、次いでステップ２７に進み、ログ送信キー６ｆが操作されたか否かを判定する。操作されていれば、次いでステップＳ２８に進み、ログデータをパケット送信し、次いでリターンする。
【００４２】
一方、ログ送信キー６ｆが操作されていなければ（ステップＳ２７の答がノー）、次いでステップＳ２９に進み、ログ終了キー６ｃが操作されたか否かを判定する。操作されていれば、次いでステップＳ３０に進み、現在時刻を交信終了時刻として記録する。次いで、交信終了時刻を表示器７に表示させ（ステップＳ３１）、次いで、ログデータをパケット送信し（ステップＳ３２）、次いで、送信を終了し（ステップＳ３３）、次いでリターンする。
【００４３】
ログ終了キー６ｃが操作されていなければ（ステップＳ２９の答がノー）、次いでリターンする。
【００４４】
次に図５は、上述の動作により表示される表示器７の表示画面の一例を示す図である。図５においては、日付、交信時刻（開始時刻および終了時刻）、相手局のコールサイン、交信周波数、相手局送信出力、交信相手の名前、相手局の住所、自局から相手局へのシグナルレポート、相手局から受けたシグナルレポート、無線機の名称、アンテナ、グリッドロケーター、ＪＣＣコードが表示されている。
【００４５】
以上のように、不揮発性メモリ９に蓄積された新規ログデータベースの内容は、キー入力部６の任意のキー操作により選択されたログの内容を表示器７の表示画面に順次呼び出し、表示器７に表示させて見ることができ、無線業務日誌を円滑に書くことが可能になる。無線業務日誌に記載される項目は、たとえば、「交信月日」、「交信時刻（開始および終了）」、「相手局呼出符号（コールサイン）」、「呼び出したのか呼ばれたのかの区別」、「相手局信号強度」、「自局の信号強度」、「交信周波数」、「電波形式」、「終段入力」、「〔備考〕氏名・住所・異動先その他」、「交信証（確認、送、受の区別）」等である。
【００４６】
このように、本発明によれば、無線業務日誌に記載する必要がある自局情報および相手局情報等の情報が、無線機のメモリに記憶されるので、移動中に無線業務日誌を書くことの危険性や面倒さが一気に改善され、気兼ねなく交信を楽しむことができる。また、交信終了後に安全性および時間を確保できた時に、パソコンにデータを転送するかもしくは記憶されたデータを見ながら無線業務日誌を書くことができ、快適な無線機の運用を行なうことができる。さらに、無線業務日誌の記録作業の軽減と共に記録の際の不備をなくすことができる。
【００４７】
以上の通り、本発明の実施の形態について説明したが、本発明はこれに限らず、種々の変形、応用が可能である。
【００４８】
たとえば、他の実施例として、交信相手局とのデータ通信には、データ通信用モデム４を使用しているが、これに代えて、ＤＴＭＦ等のコードを使用しても良い。
【００４９】
【発明の効果】
本発明によれば、移動中に無線業務日誌を書くことの危険性や面倒さが一気に改善され、気兼ねなく交信を楽しむことができる。また、交信終了後に安全性および時間を確保できた時に、パソコンにデータを転送するかもしくは記憶されたデータを見ながら無線業務日誌を書くことができ、快適な無線機の運用を行なうことができる。さらに、無線業務日誌の記録作業の軽減と共に記録の際の不備をなくすことができる。
【図面の簡単な説明】
【図１】本発明による無線機の実施の形態を示すブロック図である。
【図２】図１の無線機において相手局の受信信号強度を決定するための信号受信処理を説明するフローチャートである。
【図３】図１の無線機において各種動作を行なうためのキー処理を説明するフローチャートである。
【図４】図１の無線機において各種動作を行なうためのキー処理を説明するフローチャートである。
【図５】図１の無線機における表示器の表示画面の一例を示す図である。
【符号の説明】
１    アンテナ（送信手段および受信手段の一部）
２    送信回路（送信手段の一部）
３    受信回路（受信手段の一部）
４    データ通信用モデム（送信手段および受信手段の一部）
５    マイクロコンピュータ（制御手段）
５ａ  ＣＰＵ
５ｂ  ＲＯＭ
５ｃ  ＲＡＭ
５ｄ  Ａ／Ｄコンバータ
５ｅ  ＵＡＲＴインターフェース（通信手段の一部）
６    キー入力部
６ａ  ＰＴＴキー
６ｂ  ログ開始キー
６ｃ  ログ終了キー
６ｄ  設定キー
６ｅ  明瞭度設定キー
６ｆ  ログ送信キー
７    表示器
８    時計回路
９    不揮発性メモリ
１０  レベル変換回路（通信手段の一部）
【図１】
0003834524.tif 000002
【図２】
0003834524.tif 000003
【図３】
0003834524.tif 000004
【図４】
0003834524.tif 000005
【図５】
0003834524.tif 000006